Podtech/llm-jp-corpus-v4-ja_patent huggingface dataset:
(57)【要約】      （修正有）【課題】疲労が少なく、真っ直ぐに打ち込むことができるパイプハンマーを提供する。【解決手段】握りパイプ１の先端に重錘２を設けたことを特徴とするパイプハンマーである。杭や支柱を握りパイプに通してパイプを上下に振り下して杭頭を叩いて打ち込むため、疲労が少なく、真直ぐに打ち込むことができ農作業の軽減を図ることができる。【選択図】図１
0003148483.tif 000002
【実用新案登録請求の範囲】
【請求項１】
握りパイプ（１）の頭端に重錘（２）を設けたことを特徴としたパイプハンマー。
【請求項２】
握りパイプ（１）の下端に、該握りパイプの長さよりやや短い紐（５）を取付け、この紐（５）の先にクリップ（４）を装着したことを特徴とした請求項１に記載のパイプハンマー。
【考案の詳細な説明】
【技術分野】
【０００１】
本考案は、農作業において、杭や支柱を打ち込む際に握りパイプを通して叩き込んで使用するパイプハンマーに関する。  
【背景技術】
【０００２】
農作業においては、柵づくりやロープを張る際に杭や支柱を打ち込む作業が比較的多くある。そしてこの杭や支柱の打ち込みには振り下し式のハンマーを使用することが普通であった。
【特許文献１】特開平０９−２０６８７８号公報
【考案の開示】
【考案が解決しようとする課題】
【０００３】
この振り下し式のハンマーの場合は手が疲れたり、また杭や支柱が真っ直ぐに打ち込めずに斜めになったりして、再度打ち込むことになり不便で時間がかかるという欠点があり、時間を要していた。
【課題を解決するための手段】
【０００４】
考案者は、この点に鑑み種々研究を重ねた結果本考案に到達したものであって、本考案は、図１に示すようにパイプ（１）の先端頭部に重錘（２）を取付け、パイプ（１）を握り、図２のようにパイプ（１）の中に杭（３）を通してパイプ（１）を上下に振り下すことによって杭頭を叩いて杭（３）の打ち込みを完了させるパイプハンマーを完成させた。
【０００５】
またこのパイプハンマーは打ち込みの際にハンマーを上げすぎると、握りパイプ（１）から杭頭が抜けて空振りとなり危険が生じるため、図示のように振りパイプ（１）の下端に安全紐（５）を通し、この紐（５）の先端にクリップ（４）を取り付けて杭の中程に固定してパイプハンマーの振りすぎを制限することによって安全を図ることができる。
【考案の効果】
【０００６】
手を上下に振る方式で疲労が少く、打込みに際して真っ直ぐに打てるため無駄がない。このため作業上の効果は特に顕著である。
【実施例】
【０００７】
添付図面により本考案を説明すると、図１はパイプハンマーの全体を示す側面図であり、図２は安全紐（５）を設けたパイプハンマーを示している。
【０００８】
図１において、（１）は握りパイプを示し、この握りパイプ（１）の頭端に重錘（２）を装着して構成される。パイプ（１）の径は農作業で使用する杭や支柱の大きさを考えて５ｃｍ位が適当であり、重錘の重量は１．８ｋｇの鉄塊を使用した。
【０００９】
握りパイプ（１）の長さは５０ｃｍとしたが、打ち込み作業中に勢いよく手を振り上げると、パイプ（１）の中に納まっている杭（３）が抜け握り手を杭頭に打ちつける危険があり、これを防ぐために図２に示すように握りパイプ（１）の下端に安全紐（５）を取りつけ、この紐（５）の先端にクリップ（４）を設けて杭（３）に固定する。
このように安全紐（５）を設けることによって打撃中に杭（３）のパイプ（１）からの抜け出しを防ぐことができて作業中に杭が抜けて手を打つような危険を防止することができる。
【００１０】
このパイプハンマーは上下に叩くため杭や支柱を真直ぐに打ち込むことが可能となり、農作業はの円滑が図れる。
【産業上の利用可能性】
【００１１】
上述のように本考案のパイプハンマーは従来のハンマーに比較して手の振りが少なく疲労が軽く、しかも打ち込みに際しては杭の曲りがなく打ち込めるため作業時間が少なくて済むため、高齢化が進む農家において農作業の軽減が図れるため、この利用度合は大きい。
【図面の簡単な説明】
【００１２】
【図１】本考案の全体を示す側面図
【図２】使用に適した実施例図
【符号の説明】
【００１３】
１  握りパイプ  
２  重錘
３  杭（支柱）  
４  クリップ
５  安全紐
【図１】
0003148483.tif 000003
【図２】
0003148483.tif 000004
(57)【要約】      （修正有）【課題】面ファスナーの結着機構を利用して着脱可能で手間なく簡単に書類の整理が可能な書類整理用治具を提供する。【解決手段】ミクロ吸着シートに雄形面ファスナー６を接着剤またはドライラミネートで一体化させてなる第１部材と、１〜３枚綴りのフォルダーの背表紙部分に雌形面ファスナーを装着させてなる第２部材と、プラスチック或いは木製の治具から構成され、第１部材のミクロ吸着面３を治具の壁面へ貼着して治具と第１部材を一体化させ、雄形面ファスナー６が装着された治具へ第２部材のフォルダーの雌形面ファスナーが装着された背表紙面を複数部結着することを特徴とする。【選択図】図１
0003148488.tif 000002
【実用新案登録請求の範囲】
【請求項１】
ミクロ吸着シートに雄形面ファスナーを接着剤またはドライラミネートで一体化させてなる第１部材と、１〜３枚綴りのフォルダーの背表紙部分に雌形面ファスナーを装着させてなる第２部材と、プラスチック或いは木製の治具から構成され、第１部材のミクロ吸着面を治具の壁面へ貼着して治具と第１部材を一体化させ、雄形面ファスナーが装着された治具へ第２部材のフォルダーの雌形面ファスナーが装着された背表紙面を複数部結着することを特徴とする書類整理用治具。
【請求項２】
第２部材のフォルダーの雌形面ファスナーが熱溶着によって装着された背表紙面を複数部結着することを特徴とする請求項１記載の書類整理用治具。
【請求項３】
第２部材のフォルダーの雌形面ファスナー接着剤によって装着された背表紙面を複数部結着することを特徴とする請求項１記載の書類整理用治具。
【考案の詳細な説明】
【技術分野】
【０００１】    本考案は、着脱が簡易に可能な書類整理治具に関する。
【背景技術】
【０００２】    従来多くのフォルダーを見開きできるように綴じ込むと共に、フォルダーの増減、交換が可能な綴じ込み機構として例えばリフアィルホルダーが存在する。多くのリフィルホルダーは、ホルダーの金具にリフィルに設けられた穴を通すという形態が一般的である。
【考案の開示】
【考案が解決しようとする課題】
【０００３】    ところが、リフィルホルダーによる綴じ込み機構によれば、ホルダーの金具の使用によりコスト高となるばかりでなく、綴じ込むリフィルの枚数に比し大形化し、かつリフィルの増減及び交換を行う際の操作が面倒であるという不都合を有していた。特にカルテなどの書類を多数所有する医療機関などでは、大量の書類の整理に非常に手間がかかっていた。また、それらの機関では、二方開きのフォルダーにカルテを整理している事が多いが、書類が他のカルテの中に混入してしまうなどの問題もあった。そこで本考案は、面ファスナーの結着機構を利用して着脱可能で手間なく簡単に書類の整理が可能であり、書類同士の混入がしにくい書類整理用治具を提供することを目的としたものである。
【課題を解決するための手段】
【０００４】  本考案は上記の目的を達成するために、ミクロ吸着シートに雄形面ファスナーを接着剤またはドライラミネートで一体化させてなる第１部材と、１〜３枚綴りのフォルダーの背表紙部分に雌形面ファスナーを装着させてなる第２部材と、プラスチック或いは木製の治具から構成され、第１部材のミクロ吸着面を治具の壁面へ貼着して治具と第１部材を一体化させ、雄形面ファスナーが装着された治具へ第２部材のフォルダーの雌形面ファスナーが装着された背表紙面を複数部結着することを特徴とする書類整理用治具を提供するものである。なお、面ファスナーを熱溶着する場合は、超音波シールまたはインパルスシーラーで装着するのが好適である。
【考案の効果】
【０００５】  本考案の書類整理用治具によれば、治具の組み合わせにより１段２段３段など自由に収納数を選択する事が出来ると共に、フォルダーの着脱が大変容易であるので書類の整理に手間がかからない。更に第１部材のミクロ吸着面を治具の壁面へ貼着して治具と第１部材を一体化させているので、万が一地震などの震災が起こった時でも書類が床へ散乱することはなく、安全に避難する事ができ、また後片付けも簡易である。
【図面の簡単な説明】
【０００６】
【図１】  本考案における書類整理用治具全体の平面図である。
【図２】  本考案における書類整理用治具の治具部のみの斜視図である。
【図３】  本考案における書類整理用治具に装着するフォルダーのみの平面図である。
【図４】  本考案における書類整理用治具全体の側面図である。
【符号の説明】
【０００７】１  ミクロ吸着付雄形面ファスナー
２  治具
３  ミクロ吸着部
４  合成樹脂製フィルム
５  接着剤部
６  雄形面ファスナー
７  雌形面ファスナー
８  フォルダー
９  溶着シール部
【図１】
0003148488.tif 000003
【図２】
0003148488.tif 000004
【図３】
0003148488.tif 000005
【図４】
0003148488.tif 000006
(57)【要約】      （修正有）【課題】食品の皮むきや魚のうろこ取りに当り、包丁を使用しないで、安全に、早く薄くかつ栄養分を逃がすことも少なくして加工できる皮むき手袋を提供する。【解決手段】塩化ビニール樹脂性手袋の表面に特殊クラッシュ粒を埋め込み、表面を適度に硬く形成して構成する。【選択図】図１
0003148486.tif 000002
【実用新案登録請求の範囲】
【請求項１】
表面に特殊クラッシュ粒を埋め込み、表面が適度に硬く食品の皮むき、魚のウロコ取りに使用できる事を特徴とする。
手袋
【請求項２】
塩化ビニール樹脂素材手袋の表面部分に特殊クラッシュ粒を埋め込み従来皮むき作業は包丁やピラーでしていたが、手袋にて皮を削り取るようにむくことができる、表面が適度に硬く形成されていることを特徴とする請求項１記載の手袋
【請求項３】
塩化ビニール樹脂素材手袋の表面部分に特殊クラッシュ粒を埋め込み従来の包丁にての皮むき作業に比べて短時間でかつ薄く皮がむけることで生ごみの減量、栄養分も逃がさない、刃物を使用してないので手を切ることもなく、ヌルヌル素材も滑らず調理しやすいことを特徴とする請求項１記載の手袋
【請求項４】
刃物を使わずに食品の皮むき作業が早くできる請求項２記載の手袋
【請求項５】
食品をつかみやすい滑らないことで皮むき作業が早くできる請求項３記載の手袋
【考案の詳細な説明】
【技術分野】
【０００１】  本考案は包丁を使わず食品の皮むきに使用する手袋
【背景技術】
【０００２】従来の手袋は防寒用、皮膚の保護用としていた、食品の皮むきには包丁を使用していた。
【考案の開示】
【考案が解決しようとする課題】
【０００３】本考案の解決課題は、手袋の表面部分に特殊クラッシュ粒を埋め込み食品の皮を削り取るようにむく手袋を提供することにある。
【課題を解決するための手段】
【０００４】上記課題を解決するために、請求項１記載の考案に係わる手袋は、塩化ビニール樹脂の表面に特殊クラッシュ粒を埋め込み食品の皮むき作業が早くできることを特徴とする。
さらに、手袋は滑らない為、ヌルヌル食品の皮むき作業が容易である。
【考案の効果】
【０００５】請求項１から４記載の考案においては、包丁を使用しないで食品の皮むき作業ができる
手を切ることもなく滑らない為、作業が早くできる。
食品の皮を薄くむけるので生ごみが少量になる。
栄養分も逃がさない。魚のウロコ取りにも便利。
【考案を実施するための最良の形態】
【０００６】手袋の表面に特殊クラッシュ粒を埋め込み、刃物を使用しないで食品の皮むき作業が安全で早く出来る。
図１に示すように手袋の表面ざらざらになっている。
【実施例】
【０００７】図１に示すように手袋の表面がざらざらになっている為食品の皮むき作業が早く安全に出来る。
従来の防寒用、保護用の手袋、刃物を使う皮むき方法と比較して皮むき作業に良好な手袋を提供する。
【産業上の利用可能性】
【０００８】従来食品の皮むき作業は刃物を使用していたので手を切ったり、素手で食品をつかむ為、手がかぶれたりすることが防げる、皮を薄く早くむける効果がある。
【図面の簡単な説明】
【０００９】
【図１】図１に示すように手袋の表面がざらざらになっている為食品の皮むき作業が早く安全に出来る。
【図１】
0003148486.tif 000003
(57)【要約】      （修正有）【課題】ボールを持たずに投球動作を練習するとき、足、腰、肩、肘、手首と共に指先でのボールの押込み力の強化鍛錬練習ができるシャドウピッチング用具を提供する。【解決手段】手袋の先端部に帯状のリボンを取付け、投球動作を繰返す毎に該リボンが靡き、投球練習にリズム感をもって、足、腰、肩、腕、肘、手首、と指先での押込み効果を確認しながら、練習することを可能にしたことを特徴とする。【選択図】図１
0003148475.tif 000002
【実用新案登録請求の範囲】
【請求項１】
の考案は、野球（ソフトボールも含む）のシャドウピッチング（ボールを持たないで行う投球動作）の練習用具であって、投球する時の利き腕側の手にはめる手袋で、該手袋の先端部分に帯状のリボンを取付けて投球動作を繰返すことにより、前記手袋の先端部に取付けたリボンがなびき、投球時に指先でボールを押込み加速を加えることの訓練がなされて、次第に身に付けることが可能に構成したことを特徴としたシャドウピッチング用具である。
【考案の詳細な説明】
【技術分野】
【０００１】本考案は、野球の投球練習用具に関し、更に記述すると、ボールを持たずに投球練習をする時、投球動作の中で特に鍛えたいとされる、足、腰、肩、肘、手首、指先、の各部の強化鍛錬が一連の投球動作の中で、効果的に鍛えられていくことが可能な投球動作鍛錬用具に関する。
【背景技術】
【０００２】近年、野球も盛んになり老若男女を問わず野球（ソフトボールも含む）をする人口が増加しているこの頃、特に少年野球の熱の高さには目を見張るものがある。そんな中、小学生の低学年の内からでも、正しい投球動作と訓練方法を身に付けることが、上達を早めることができるものと、いろいろと工夫され、種々様々な用具が開発されている。
【考案の開示】
【考案が解決しようとする課題】
【０００３】以前は、シャドウピッチングとして、タオルを握って投球動作をする方法があったが、指がタオルを握っているため指先でボールを押込む動作ができず、“押込み力”を鍛えることのできる用具は存在せず、その開発が強く望まれていた。
本考案はこのような状況下、以下の目的を達成することを課題とする。即ち、本考案はボールを持たずに投球動作を練習するとき、足、腰、肩、肘、手首と共に指先でのボールの押込み力を強化鍛錬の練習ができる、優れたシャドウピッチング用具を提供することを目的とする。
【課題を解決するための手段】
【０００４】本考案は前記課題を解決するため、下記のシャドウピッチング用具を提供する。
請求項１の考案は、利き腕の手に手袋をはめ、該手袋の先端部に帯状のリボンを取付けて投球動作を繰返す毎に、前記手袋のリボンがなびき指先での押込み動作が身に付くように、練習の効果と継続性を向上させることを可能に構成したことを特徴とする、シャドウピッチング用具である。
【考案の効果】
【０００５】本考案によれば、ボールを持たずに投球練習（シャドウピッチング）をすることにより、足、腰、肩、肘、手首、と共に指先でのボールの押込み力が鍛えられ、練習を繰返すことで次第に身に付き、実際にボールを握って投げた時に、ボールに伸びが生じるように訓練ができるシャドウピッチング用具を提供することができるものである。
【考案を実施するための最良の形態】
【０００６】本考案は、本考案は利き腕側の指先にはめる手袋と、該手袋の先端部に取付ける帯状のリボンから成り立っており、実施するための最良の形態を一実施例として図面を参照し、更に詳しく説明する。
【実施例】
【０００７】図１は本考案の一実施態様に係る、シャドウピッチング用具の全貌を示す斜視図である。
図２は本考案の一実施形態で、手の平側から見た手袋の斜視図。
図３は本考案の一実施形態の実施形態で、帯状のリボンの斜視図をそれぞれ示す。【０００８】上記、シャドウピッチング用品は図１に示すように、利き腕側に嵌める手袋１、に投球時ボールの押込み力を鍛えたい、人差指１ａと中指１ｂと投球動作後の脱げ防止用ベルト１ｃからなり、前記人差指１ａと中指１ｂの先端部にリボン取付け用のわっか１ｄと、帯状のリボン２からなるシャドウピッチング用品である。【０００９】この手袋１の人差指１ａと中指１ｂに取付けた帯状のリボン２はシャドウピッチングの動作を繰返すごとに、風を切りなびく様に設定したもので、その長さは自由に選定することができるものである。また、前記脱げ防止用ベルトはボタンとかホックで代用してもよい。【００１０】前記、シャドウピッチング用具は、図２に示したように、人差指１ａと中指１ｂは指袋を残し、リボン取付け用の“わっか”２ａを設ける。他の親指、小指、薬指、部は開放にすることで、前記人差指と中指に意識を集中させて、シャドウピッチングでの押込み練習ができ、その効果を高めることができるように設定したものである。【００１１】以上、本考案の一実施形態について詳細に説明したが、本考案は上記実施の形態に限定されず、本考案の要旨を逸脱しない範囲で種々変更しても差し支えない。
【産業上の利用可能性】
【００１２】本考案の、シャドウピッチング用具は、利き腕側の手にはめる手袋と、該手袋の先端部に取付けた帯状のリボンで構成されており、大量生産が可能で安価に提供できるものである。
【図面の簡単な説明】
【００１５】
【図１】本考案の一実施態様に係る、シャドウピッチング用具の全貌を示した斜視図である。
【図２】本考案の一実施例の、シャドウピッチング用具の手袋の斜視図である。
【図３】本考案の一実施例の、帯状リボンの斜視図である。
【符号の説明】
【００１６】１    手袋
１ａ  人差指部
１ｂ  中指部
１ｃ  脱げ防止用バンド
１ｄ  リボン取付け用わっか
２    帯状リボン
２ａ  取付け用ヒモ
【図１】
0003148475.tif 000003
【図２】
0003148475.tif 000004
【図３】
0003148475.tif 000005
【手続補正書】
【提出日】平成20年11月5日(2008.11.5)
【手続補正１】
【補正対象書類名】実用新案登録請求の範囲
【補正対象項目名】全文
【補正方法】変更
【補正の内容】
【実用新案登録請求の範囲】
【請求項１】
野球のシャドウピッチングの練習用具であって、投球する時の利き腕側の手にはめる手袋で、該手袋の先端部分に帯状のリボンを取付けて投球動作を繰返すことにより、前記手袋の先端部に取付けたリボンがなびき、投球時に指先でボールを押込み加速を加えることの訓練がなされて、次第に身に付けることが可能に構成したことを特徴としたシャドウピッチング用具。
(57)【要約】      （修正有）【課題】足湯を行うのに適した長さ・幅・深さを持ち、両足を入れても滑りにくく、かつ保温効果も高い足湯用洗面器を提供する。【解決手段】足に合った大きさに洗面器本体１を形成し、その内部に保温効果を高めるための入浴剤を入れることができる入浴剤ポケット５を設ける。また、洗面器本体１は、手軽に持ち運びできるように樹脂素材を用いて製作し、さらに、足を入れ圧力をかけても洗面器本体が滑らないように、該洗面器本体１の外側底面に滑り止め７を設ける。また、該洗面器本体１の内部底面に、足裏への指圧効果を狙った突起３を設け、さらに外側側面等に模様を描きデザイン性を高めても良い。【選択図】図１
0003148471.tif 000002
【実用新案登録請求の範囲】
【請求項１】
どこでも手軽に足湯が出来、足に合った形状に取手を設け、安定を求め足湯洗面器の裏に滑り止めを設けたことを特徴とする。
【請求項２】
前記の形状桶に、入浴剤入れのポケットを設けることを特徴とする請求項１記載の足湯洗面器。
【請求項３】
前記の形状桶に、足のつぼに合った突起を設けることを特徴とする請求項１記載の足湯洗面器。
【請求項４】
前記の形状桶に、リラックス効果を取り入れた模様を洗面器の桶の中と側面全体に設けたことを特徴とする請求項１記載の足湯洗面器。
【考案の詳細な説明】
【技術分野】
【０００１】  この考案は、足湯として用いるための桶の形状に関する。
【背景技術】
【０００２】  従来の洗面器は、バスルーム等で使用されており、洗面器は湯を汲み取るときや顔を洗う桶として利用されている。そこで、入浴時以外にも足湯桶として利用したいと考え、保温性に優れた素材、洗面器の形状、リラックス効果と遊び心を取り入れた、図１・図２である。また、足湯洗面器としての安定を求め、図３のように滑り止めを設けたものである。
【考案の開示】
【考案が解決しようとする課題】
【０００３】  しかしながら、従来の技術によれば、従来の洗面器は、丸か四角い形状であり、足を入れるには小さい。また、両足を入れると滑りやすい。  そこで、この発明は、足に合った大きさ・深さ・幅に設計し、保温性を求め入浴剤入れのポケットを設け、足の指圧にもかなう素材とする。また、裏に、滑り止めを施し、気分を癒す模様等の工夫を提供することも課題とする。
【課題を解決するための手段】
【０００４】  以上の課題を解決するために、第一考案は、足に合った大きさ・深さ・幅に設計し、足湯洗面器の安定を求め裏に滑り止めを設けたことを特徴とする足湯洗面器である。
第二考案は、入浴剤を入れることで保温を求めポケットを設けたことを特徴とする足湯洗面器である。
また、第三考案は、足の指圧にもかなう突起を設けることを特徴とする足湯洗面器である。
そして、第四考案は、リラックス効果と遊び心を取り入れた模様を桶の中と側面に施した足湯洗面器である。
【考案の効果】
【０００５】  第一考案・第二考案・第三考案・第四考案によれば、入浴等での洗髪の祭、冬場は特に両足を温めながら洗髪ができるため、入浴が快適になる。また、仕事等で疲れた足や病気等で入浴できないとき、手軽に部屋等で足湯をすることができ、血行を良くし、疲労の解消や心身のリラックス法にもつながってくる。このことは、独立行政法人  雇用・能力開発機構  ２００４年９月日本健康心理学会で発表した「心身を癒す足湯の効果」の実験において、血管が若返り、末梢の血管の状態を調整している自律神経において、副交感神経活動が優位になり疲労解消や心身のリラックス法にも効果があったと証明された。
ｈｔｔｐ：／／ｗｗｗ．ｍｈｓ．ｏｒ．ｊｐ／ｆｒａｍｅ／ｒｓｎｅｗｓ／ＲｅｓｅａｒｃｈＰＤＦ／ｈｏｔ−ｓｐｒｉｎｇ．ｐｄｆ＃ｓｅａｒｃｈ
それから、国立循環器病センターの研究グループが心臓機能の改善効果の症例発表では、温かい蒸気の出る「足湯」装置を使い、４２度で１５分間温め、３０分間保温する治療を２週間行った結果、体の深部の温度が上がって末梢（まっしょう）血管の血流がスムーズになり、心臓のポンプ機能への負担が軽減し、一定の効果が認められたと言うことである。（２００７年１１月２５日  読売新聞）
このことからも分かるように、足湯洗面器は、家庭だけでなく、施設等でも手軽に使え血行を良くするだけでなく、癒され感が健康の増進にもつながるという効果が立証されている。
【考案を実施するための最良の形態】
【０００６】  この発明の実施形態を、図１に示す。
足湯洗面器本体は樹脂素材であり、全体に癒しと遊び心を取り入れた模様に取手を設けている。
この考案の実施形態を、図２に示す。
本体の中底面には、半円球上の突起が足壺の位置にあり、また、入浴剤入れのポケットが設けられている。
この考案の実施形態を、図３に示す。
本体の側面に、滑り止めのゴムを４箇所設ける。
「実施形態の効果」【０００７】  この実施形態によれば、椅子などに座り、足湯洗面器に両足を楽に入れることができ、どこへでも軽く持ち運び温めることができる。また、部屋においても、華やぐ模様とリラックス効果のある青を基調とした色を使うことで、楽しみながら利用できる。この模様と色は、効果の一例である。
「他の実施形態」【０００８】  図１の実施形態では、足の大きさに合わせた形状に、持ち運びやすいように取手を作り、全体的にリラックスできる模様・色にこだわっているが、模様・色は、季節などに応じたものに変更することも出来る。また、図２の実施形態では、足を入れおくときの状況にも配慮したものであるが、突起の大きさ等と模様を替えることでも良い。
一例として、本体側面に青い花をちりばめ、中には足の絵を施す。
【図面の簡単な説明】
【０００９】
【図１】この考案の実施形態を示す本体斜視図。
【図２】この考案の実施形態を示す内面図。
【図３】この考案の実施形態を示す底面図。
【図４】従来の技術を示す内面図である。
【符号の説明】
【００１０】１、足湯洗面器の本体    ２、取手
３、内面図の突起        ４、本体側面の模様
５、入浴剤入れポケット  ６、本体内面の模様
７、足湯洗面器本体裏のすべり止め
【図１】
0003148471.tif 000003
【図２】
0003148471.tif 000004
【図３】
0003148471.tif 000005
【図４】
0003148471.tif 000006
【手続補正書】
【提出日】平成20年10月23日(2008.10.23)
【手続補正１】
【補正対象書類名】実用新案登録請求の範囲
【補正対象項目名】全文
【補正方法】変更
【補正の内容】
【実用新案登録請求の範囲】
【請求項１】
どこでも手軽に足湯が出来、足に合った形状桶に取手を設け、安定を求め形状桶の裏に滑り止めを設けたことを特徴とする足湯洗面器。
【請求項２】
前記の形状桶に、入浴剤入れのポケットを設けることを特徴とする請求項１記載の足湯洗面器。
【請求項３】
前記の形状桶に、足のつぼに合った突起を設けることを特徴とする請求項１記載の足湯洗面器。
【請求項４】
前記の形状桶に、リラックス効果を取り入れた模様を洗面器の桶の中と側面全体に設けたことを特徴とする請求項１記載の足湯洗面器。
(57)【要約】      （修正有）【課題】降雪寒冷地では雨樋が積雪や凍結によって破損するため、雨樋の普及が進んでいないので、冬期間収納保持出来る雨樋を提供する。【解決手段】雨樋、雨樋受け器具、雨樋枠と一体となった雨樋枠上部前後に３系列の直径３ｃｍの車輪を系列ごとに２個取り付け固定したレールに雨樋枠全体を吊り下げてスライドする。１２ｍｍステンレス丸鋼直角９０度のレールをレール取付け板に固定して雨樋枠全体をスライドさせ、雨樋のセット及び収納が遠方操作で容易に出来るようになった。【選択図】図３
0003148473.tif 000002
【実用新案登録請求の範囲】
【請求項１】
雨樋、雨樋受け器具、雨樋枠と一体となった雨樋枠上部前後に３系列の直径３ｃｍの車輪を系列ごとに２個取り付け固定したレールに雨樋枠全体を吊り下げてスライドする装置
【請求項２】
雨樋枠全体をシングル滑車６個とダブル滑車１個を組合わせて３ｍｍのワイヤロープを用いて雨樋枠を前後にスライドさせる装置
【考案の詳細な説明】
【技術分野】
【０００１】  建造物の設備の考案
【背景技術】
【０００２】  積雪や凍結によって雨樋が破損するため雨樋の普及が進んでいない
【考案の開示】
【考案が解決しょうとする課題】
【０００３】  降雪地方や寒冷地でも雨樋を使用出来るようにするには冬期間の雨樋を如何に保守管理するかが課題であった
【課題を解決するための手段】
【０００４】  冬期間は雨樋を後退させて保管する
雨樋のセット及び収納方法は滑車とワイヤーロープを用いて遠方操作で可能となる
【考案の効果】
【０００５】  降雨時軒先からの雨水の飛散が解消される
冬期間の雨樋の保守管理が確保される
雨水を回収タンク等に貯めて花壇や家庭菜園、マイカーの洗車などに利用が可能となり水資源の有効活用と上水道の節水と経済的効果が期待できる。
【考案を実施するための最良の形態】
【０００６】  雨樋枠を動かす滑車力率を０．５にしてスライドさせる負荷を軽くした
１２ｍｍステンレス丸鋼直角９０度のレール３本に、雨樋枠に取付けた滑車２個×３系列によって雨樋枠全体を吊り下げスライドさせる。
雨樋のセット及び収納が遠方操作で簡単に出来るようになる
【実施例】
【０００７】  １２ｍｍステンレス丸鋼直角９０度のレールをレール取付け板に固定して雨樋枠全体を吊り下げスライドさせ、雨樋のセット及び収納が遠方操作で容易に出来るようになった。
【産業上の利用可能性】
【０００８】  降雪寒冷地帯でも雨樋の設置が可能となり雨水利用による水資源の有効活用が図られる
今後益々水資源の枯渇が懸念される今日、雨水の再利用をする事により上水道の節水と、更には経済的効果が期待できる
【図面の簡単な説明】
【図１】雨樋組立て図
【図２】側面図
【図３】完成図
【符号の説明】
【０００９】
【図１】
0003148473.tif 000003
【図２】
0003148473.tif 000004
【図３】
0003148473.tif 000005
【手続補正書】
【提出日】平成20年10月30日(2008.10.30)
【手続補正１】
【補正対象書類名】実用新案登録請求の範囲
【補正対象項目名】全文
【補正方法】変更
【補正の内容】
【実用新案登録請求の範囲】
【請求項１】
雨樋と雨樋受け器具と雨樋枠と一体としたものに３系列の車輪を系列ごとに２個取り付け、固定したレールに前記一体としたものを吊り下げ、滑車７個とワイヤーロープを用いて雨樋をスライドさせる装置
(57)【要約】      （修正有）【課題】ヨットに使用する帆であるスピンのラフ部に留具をつけてフォアステイと一体化し、上げ下ろしの時に風にあおられて飛ばされるのを防ぎ乗組員の安全を確保する。【解決手段】スピン本体１のラフ部に留具８を設けてフォアステイ６と一体化してスピン１をハリヤード９で上げ下げする。また、時に応じてフォアステイ６に変わるガイドロープを設け、これに予めスピンの留具８を通しておき、このガイドロープをハリヤード９で上げる。この場合はガイドロープの上端につけたブロックを利用してスピンリードロープでスピン本体１を上げ下げする。スピン本体１を構成する３辺の内の１辺が固定されていることにより風に飛ばされることを防ぎ、乗組員の作業の安全性向上に役立つ。【選択図】図２
0003148478.tif 000002
【実用新案登録請求の範囲】
【請求項１】
スピン本体のラフ部にフォアステイを抱きかかえる部分を設け、上げ下げ時にスピンが風に流されることを防ぐところを特徴とする留具付スピン。
【考案の詳細な説明】
【技術分野】
【０００１】  本考案は、ラフ部に留具を設けたヨットの帆であるスピンに関するものである。
【背景技術】
【０００２】  ヨットのスピンは３辺で構成されている布製の帆で、通常はそれぞれの隣り合う辺が交わるピーク、タック、クルーの３点の内の頂点であるピークに上げ下ろしの為のハリヤードをつけ、他の２点には風をはらんだスピンを風向きに合わせて調整するスピンシートが付けられている。上げ下ろしの際に風にあおられるとスピンが風下側に飛ばされることが多い。
【考案の開示】
【考案が解決しようとする課題】
【０００３】  ヨットは風を帆に受けて航行する為に風向きが変わるとその風に合わせて帆を交換する必要がある。上げ下ろし時にスピンが風で飛ばされると、スピンが海上に落下したり、上げ下ろしに携わる人間が落水する危険がある。従って、スピンに留具を付けて、帆柱であるマストが倒れないように前後左右をステイで艇体に固定している内の１本であるマストの上部と艇体の舳先とを固定しているフォアステイと一体化することによって前述の欠点を解決しようとする物である。
【課題を解決するための手段】
【０００４】  本考案は、スピンを構成する３辺のうちの１辺であるラフ部に留具を設け、マストの頂点と艇体の舳先とを固定しているフォアステイに留めることで風にあおられて飛ばされるのを防ぎ問題点を解決している。
【考案の効果】
【０００５】  上述の様に、本考案の留具付スピンはフォアステイに１辺が留められているので、上げ下ろしの際に風に飛ばされることが無く、しかも取り扱う乗組員においても作業の安全性が向上する。
【考案を実施するための最良の形態】
【０００６】  スピン本体の３辺のうちの１辺であるラフ部に、フォアステイを抱きかかえる為の留具を取り付ける。その留具でスピンをフォアステイに留めることにより一体化し、スピンを上げ下げするロープであるハリヤードを引けばスピンはフォアステイに沿って上り、ハリヤードを緩めればフォアステイに沿って下がり、風に飛ばされること無くスピンの展開が可能になる。
【実施例】
【０００７】  以下、添付図面に従って実施例を説明する。１はナイロン製生地、ポリエステル製生地、あるいは繊維をフィルムやタフタで積層した生地で作られたスピン本体、その１辺である７ラフ部に８留具を取り付けて６フォアステイと一体化し、本体の頂点である３ピークに９ハリヤードをつけてスピンを上げ下げする。  また、時に応じて、６フォアステイに代わる１０ガイドロープを設け、これに予めスピンの留具を通しておき、このガイドロープを９ハリヤードで上げる。この場合はガイドロープの上端につけた１１ブロックを利用して１２スピンリードロープで留具付スピンを上げ下げする。
なお、留具を取り付ける実施態様には次のようなものがある。
（イ）  フックを適宜間隔をあけて本体ラフ部に取り付ける。
（ロ）  ループを適宜間隔をあけて本体ラフ部に取り付ける。
（ハ）  筒状の布製スリーブを本体のラフ部全体に取り付ける。
【図面の簡単な説明】
【０００８】
【図１】従来のスピン展開図
【図２】ａ本考案の留具付スピンのフォアステイを介した一実施例を示す全体図。ａ’本スピンの部分詳細図。ｂ本考案の留具スピンのガイドロープを介した一実施例を示す全体図。ｂ’本スピンの部分詳細図。
【符号の説明】
【０００９】１  スピン本体
２  マスト
３  ピーク
４  タック
５  クルー
６  フオアステイ
７  ラフ
８  留具
９  ハリヤード
１０  ガイドロープ
１１  ブロック
１２  スピンリードロープ
１３  スピンシート
【図１】
0003148478.tif 000003
【図２】
0003148478.tif 000004
0003148478.tif 000005
【手続補正書】
【提出日】平成20年12月5日(2008.12.5)
【手続補正１】
【補正対象書類名】図面
【補正対象項目名】全図
【補正方法】変更
【補正の内容】
【図１】
0003148478.tif 000006
【図２】
0003148478.tif 000007
(57)【要約】      （修正有）【課題】大型布絵芝居の枠と布絵の巻き取り装置を提供する。【解決手段】蛍光絵の具を塗った大型の布絵にブラックライトを当てて光らせ、それをスムーズに操作できるよう様にフイルム状に巻いた絵を引いてページをめくる装置である。部屋を暗くし画面を大きくする事で大ホールでの上演も可能になり、光る布絵芝居に興味を持ち、飽きることなく最後まで満足して鑑賞させる事ができる。【選択図】図３
0003148476.tif 000002
【実用新案登録請求の範囲】
【請求項１】
ブラックライト（紫外線）を布絵に当てて光らせる布絵芝居。
【請求項２】
長い布絵をロール状に巻きページごとに引くフイルム式の大型枠の用具。
【考案の詳細な説明】
【技術分野】
【０００１】  本考案は、長い布（キャラコ）に蛍光絵の具で描いた絵をブラックライトで光らせページごとに引いてめくるフイルム式の布絵芝居に関する。
【背景技術】
【０００２】  従来の紙芝居は描かれた絵を小人数に見せるだけの装置で大きな会場での上演は絵が遠くまで届かず観客に不満を与える。
【考案の開示】
【考案が解決しようとする課題】
【０００３】  大ホールでの上演において後部席の観客まで絵を届かせるため画面を大きくし観客全員に満足感を与える。
【課題を解決するための手段】
【０００４】そのための解決手段として９２センチ幅の長い布（キャラコ）に絵をつなげて描き枠の後ろ側上部にロール状に巻いて設置し、ページごとに引いてめくり上演する手段。
【考案の効果】
【０００５】従来の紙芝居は絵が小さく、明るいところで絵本を見るような感覚でしかない。そのため観客は飽きるとおしゃべりを始めるが部屋を暗くし画面を大きくする事で大ホールでの上演も可能になり光る布絵芝居に興味を持ち最後まで満足して鑑賞する事ができる。
【考案を実施するための最良の形態】
【０００６】部屋を暗くし大型枠（１）の上下両横に設置したブラックライト（２）によりロール状の布絵（３）は光り観客の隅々まで届かせ幻想的な雰囲気に満足感を与えるものである。
図３で示すようにロール状の布絵（３）を引き出すのに絵を引く手（４）によって引いてめくる。
【図面の簡単な説明】
【０００７】
【図１】本考案に係わる布絵芝居の枠にブラックライトを設置した図。
【図２】本考案に係わる布絵芝居の絵をロール状に設置した図。
【図３】本考案に係わる布絵芝居の絵の後ろで読み手がページをめくる図
【図４】本考案に係わる布芝居の絵が出た図。
【符号の説明】
【０００８】      １      大型枠。
２      ブラックライト。
３      ロール状の布絵。
４      絵を引く手。
【図１】
0003148476.tif 000003
【図２】
0003148476.tif 000004
【図３】
0003148476.tif 000005
【図４】
0003148476.tif 000006
【手続補正書】
【提出日】平成20年11月5日(2008.11.5)
【手続補正１】
【補正対象書類名】実用新案登録請求の範囲
【補正対象項目名】全文
【補正方法】変更
【補正の内容】
【実用新案登録請求の範囲】
【請求項１】
長い布絵をロール状に巻きページごとに引くフイルム式の大型枠の用具。
(57)【要約】      （修正有）【課題】ペットの死後にペットの生前の容姿を偲ぶことができるペット用記念碑において、製造を容易にするとともに安価なものとし、商品価値を向上させることができるペット用記念碑を提供する。【解決手段】ペット用記念碑１において、本体３に形成した貫通孔６を正面プレート７と背面プレート８とで被覆して内部にペットの遺骨や遺品を収容できる収容空間９を形成するとともに、正面プレート７にペットの顔や容姿を刻設することにした。また、正面プレート７は、前面を凸面とし、凸面にペットの顔や容姿を刻設することにした。【選択図】図１
0003148323.tif 000002
【実用新案登録請求の範囲】
【請求項１】
本体に形成した貫通孔を正面プレートと背面プレートとで被覆して内部にペットの遺骨や遺品を収容できる収容空間を形成するとともに、正面プレートにペットの顔や容姿を刻設したことを特徴とするペット用記念碑。
【請求項２】
前記正面プレートは、前面を凸面とし、凸面にペットの顔や容姿を刻設したことを特徴とする請求項１に記載のペット用記念碑。
【考案の詳細な説明】
【技術分野】
【０００１】
本考案は、ペット用記念碑に関するものであり、特に、ペットの遺骨や遺品を収容することができるペット用記念碑に関するものである。
【背景技術】
【０００２】
従来より、ペットの飼主は、ペットの死後にペットの生前の容姿を偲んでペットの顔や容姿を写した写真を写真盾状のペット用記念碑に収容して使用している。
【０００３】
この従来のペット用記念碑としては、写真を収容するスペースが形成されているとともに、ペットの遺骨や遺品などを収容することができるスペースを形成したものも考案されている（たとえば、特許文献１参照。）。
【０００４】
【特許文献１】特開２０００−２１７６９５号公報
【考案の開示】
【考案が解決しようとする課題】
【０００５】
ところが、上記従来のペット用記念碑では、写真を収容するためのスペースと遺骨などを収容するためのスペースとをそれぞれ別個に形成しているために、形状や構造が複雑なものとなっており、製造に時間や労力を要し、高価な商品となっていた。
【０００６】
また、上記従来のペット用記念碑では、写真を収容していたために、写真が経時的に色あせてしまい、長期間の使用に耐えない商品となっていた。
【課題を解決するための手段】
【０００７】
そこで、請求項１に係る本考案では、ペット用記念碑において、本体に形成した貫通孔を正面プレートと背面プレートとで被覆して内部にペットの遺骨や遺品を収容できる収容空間を形成するとともに、正面プレートにペットの顔や容姿を刻設することにした。
【０００８】
また、請求項２に係る本考案では、前記請求項１に係る本考案において、前記正面プレートは、前面を凸面とし、凸面にペットの顔や容姿を刻設することにした。
【考案の効果】
【０００９】
そして、本考案では、以下に記載する効果を奏する。
【００１０】
すなわち、本考案では、ペット用記念碑において、本体に形成した貫通孔を正面プレートと背面プレートとで被覆して内部にペットの遺骨や遺品を収容できる収容空間を形成することにしているために、簡単な構造のペット用記念碑とすることができ、製造容易で安価な商品とすることができる。
【００１１】
しかも、本考案では、正面プレートにペットの顔や容姿を刻設することにしているために、経時的に色あせてしまうことがなく、長期間にわたって使用できる商品とすることができる。
【００１２】
さらに、本考案では、正面プレートの前面を凸面とし、凸面にペットの顔や容姿を刻設することにしているために、ペットの顔や容姿に立体感を持たせることができ、ペット用記念碑の商品価値を向上させることができる。
【考案を実施するための最良の形態】
【００１３】
以下に、本考案に係るペット用記念碑の具体的な構成について図面を参照しながら説明する。
【００１４】
図１〜図４に示すように、ペット用記念碑１は、矩形板状の基台２の中央上部に盾型の矩形板状の本体３を取付けている。
【００１５】
本体３には、前面４から後面５に貫通する断面円形状の貫通孔６を形成するとともに、前面４に貼着した円板状の正面プレート７と後面５に貼着した円板状の背面プレート８とで貫通孔６の前後の開口を被覆しており、これにより、本体３の内部に収容空間９を形成している。
【００１６】
なお、本体３の前面４には、ペットの名前や生存時期などを印刷や刻設することもできる。
【００１７】
正面プレート７は、正面を凸状に形成した凸面10とするとともに、凸面10にペットの写真を基にペットの顔や容姿を忠実に手彫りで刻設（図示省略）して、正面にペットの姿を立体的に表出させている。
【００１８】
なお、図５及び図６に示すように、正面プレート7'として矩形板状のものを用いてフォトエッチングによりペットの名前や生存時期やペットの写真を基にしてペットの顔や容姿を忠実に刻設するようにしてもよい。
【００１９】
また、背面プレート８は、本体３の後面５に着脱自在に貼着しており、後面にペットの名前や飼主からのメッセージや死別日などを印刷や刻設している（図示省略）。
【００２０】
さらに、収容空間９には、ペットの遺骨の全部又は一部や生前愛用していた品物などの遺品といったペットと関連する物をそのまま或いはケースに入れて収容することができる。
【００２１】
このように、上記ペット用記念碑１では、本体３に形成した貫通孔６を正面プレート７(7')と背面プレート８とで被覆することによって、本体３の内部にペットの遺骨や遺品を収容できる収容空間９を形成している。
【００２２】
そのため、上記ペット用記念碑１では、構造を簡単なものとすることができ、ペット用記念碑１を製造容易で安価な商品とすることができる。
【００２３】
しかも、上記ペット用記念碑１では、正面プレート７(7')にペットの顔や容姿を刻設している。
【００２４】
そのため、上記ペット用記念碑１では、ペットの顔や容姿が経時的に変化（色あせて）しまうことがなく、ペット用記念碑１を長期間にわたって使用できる商品とすることができる。
【００２５】
さらに、上記ペット用記念碑１では、正面プレート７の前面を凸面10とし、その凸面10にペットの顔や容姿を刻設している。
【００２６】
そのため、上記ペット用記念碑１では、ペットの顔や容姿に立体感を持たせることができ、ペット用記念碑１の商品価値を向上させることができる。
【図面の簡単な説明】
【００２７】
【図１】本考案に係るペット用記念碑を示す斜視図。
【図２】同正面図。
【図３】同側面図。
【図４】同背面図。
【図５】本考案に係るペット用記念碑を示す斜視図。
【図６】同正面図。
【符号の説明】
【００２８】
１  ペット用記念碑
２  基台
３  本体
４  前面
５  後面
６  貫通孔
7,7'  正面プレート
８  背面プレート
９  収容空間
10  凸面
【図１】
0003148323.tif 000003
【図２】
0003148323.tif 000004
【図３】
0003148323.tif 000005
【図４】
0003148323.tif 000006
【図５】
0003148323.tif 000007
【図６】
0003148323.tif 000008
(57)【要約】【課題】  厚みがなく、強度的にも安定した固定嵌合パーツを提供することにある。【解決手段】  固定嵌合パーツ１０は、パーツ本体２０を備える。そして、このパーツ本体２０は、板状に形成された金属材質からなるものである。このパーツ本体２０の反時計側の両端には、ピン孔を形成するために略Ｃ字状に湾曲して形成された筒部３０，３０を備える。また、この筒部３０と筒部３０の間には、帯状の補強片６０を取り付けるために形成された取付孔４０を備える。【選択図】  図１
0003148399.tif 000002
【実用新案登録請求の範囲】
【請求項１】
皮革製腕時計バンドの時計側先端部に埋め込まれて時計側との接続のために用いられる皮革製時計バンド用固定嵌合パーツであって、
板状に形成されたパーツ本体と、
パーツ本体の反時計側の両端にピン孔を形成するために形成された筒部と、
筒部と筒部の間にあって、帯状の補強片を取り付けるために形成された取付孔と、
を備えたことを特徴とする皮革製時計バンド用固定嵌合パーツ。
【請求項２】
板状に形成されたパーツ本体が金属製であることを特徴とする請求項１記載の皮革製時計バンド用固定嵌合パーツ。
【請求項３】
パーツ本体の時計側の側縁が、時計側に合致する形状に形成されていることを特徴とする請求項１又は２記載の皮革製時計バンド用固定嵌合パーツ。
【請求項４】
筒部を備えるパーツ本体反時計側両端が、時計バンドの幅方向に切欠状に形成されていることを特徴とする請求項１から３のいずれかに記載の皮革製時計バンド用固定嵌合パーツ。
【請求項５】
請求項１から４のいずれかに記載の皮革製時計バンド用固定嵌合パーツを備えたことを特徴とする皮革製腕時計バンド。
【考案の詳細な説明】
【技術分野】
【０００１】
皮革製腕時計バンドの時計側先端部に埋め込まれて時計側との接続のために用いられる皮革製時計バンド用固定嵌合パーツに関するものである。
【背景技術】
【０００２】
従来、皮革製時計バンド用固定嵌合パーツ（以下「固定嵌合パーツ」）に関しては、特許文献１などに開示されたものがある。そして、固定嵌合パーツの多くは樹脂製などであるが、図３（説明用斜視図）および図４（使用状態を示す断面図）に示すように、従来の固定嵌合パーツ５０は、厚みがあり、強度も不安定であった。なお、符号６０は、固定嵌合パーツ５０の取付孔５１に取り付けて、固定嵌合パーツ５０がバンド先端方向に取れてしまわないようにするための布製の補強片である。
【特許文献１】実用新案登録第３０９０２９５号公報
【考案の開示】
【考案が解決しようとする課題】
【０００３】
そこで、本願考案者は、厚みがなく、強度的にも安定した固定嵌合パーツを提供すべく本願考案を完成するに至った。
【課題を解決するための手段】
【０００４】
本願考案の第１の考案は、皮革製腕時計バンドの時計側先端部に埋め込まれて時計側との接続のために用いられる皮革製時計バンド用固定嵌合パーツであって、板状に形成されたパーツ本体と、パーツ本体の反時計側の両端にピン孔を形成するために形成された筒部と、筒部と筒部の間にあって、帯状の補強片を取り付けるために形成された取付孔とを備えたことを特徴とする皮革製時計バンド用固定嵌合パーツである。
第２の考案は、板状に形成されたパーツ本体が金属製であることを特徴とする同皮革製時計バンド用固定嵌合パーツである。
第３の考案は、パーツ本体の時計側の側縁が、時計側に合致する形状に形成されていることを特徴とする同皮革製時計バンド用固定嵌合パーツである。
第４の考案は、筒部を備えるパーツ本体反時計側両端が、時計バンドの幅方向に切欠状に形成されていることを特徴とする同皮革製時計バンド用固定嵌合パーツである。
第５の考案は、第１から第４の考案に記載の皮革製時計バンド用固定嵌合パーツを備えたことを特徴とする皮革製腕時計バンドである。
【考案の効果】
【０００５】
上記考案によれば、次のような効果を有する。
（１）固定嵌合パーツを構成するパーツ本体が板状のものであるため、厚みがない固定嵌合パーツを提供できる。
（２）固定嵌合パーツを構成するパーツ本体が金属製のものであるため、強度的に安定した固定嵌合パーツを提供できる。
（３）パーツ本体の時計側の側縁の形状が時計側に合致するものであるため、時計バンドと時計側を接続した場合に、両者間に隙間が無く一体感あるデザインを提供できる。
（４）パーツ本体の反時計側の両端が時計バンドの幅方向に切欠状に形成されているため、時計バンドと時計側を接続する連結ピン（例：ばね棒）の操作性が向上する。
【考案を実施するための最良の形態】
【０００６】
本願考案の実施形態を図面に基づいて説明する。
図１は、本願考案に係る固定嵌合パーツを示す説明用斜視図である。
図１に示すように、固定嵌合パーツ１０は、まず、パーツ本体２０を備える。そして、このパーツ本体２０は、板状に形成された金属材質からなるものである。このパーツ本体２０の反時計側の両端には、ピン孔を形成するために略Ｃ字状に湾曲して形成された筒部３０，３０を備える。また、この筒部３０と筒部３０の間には、帯状の補強片６０を取り付けるために形成された取付孔４０を備える。
【０００７】
パーツ本体２０の時計側の側縁２１は、図示省略する時計側の形状に合致させた形状にするとよい。時計バンドと時計側を接続した場合に両者間に隙間が無くなり、一体感あるデザインを提供できるからである。
また、パーツ本体２０の反時計側両端、すなわち、筒部２０，２０の外側が、時計バンドの幅方向に切り欠いた切欠部２２，２２を有するとよい。時計バンドと時計側の取り付け又は取り外し作業において、両者を接続するばね棒等の連結ピンを操作する操作スペースを確保できるからである。
【０００８】
図２は、本願考案に係る固定嵌合パーツの使用状態を示す断面図である。
図２に示すように、皮革製腕時計バンド１の時計側先端部２に固定嵌合パーツ１０が埋め込まれている。固定嵌合パーツ１０は、本体パーツ２０が金属製の板状のものなので、時計側先端部２の厚みを厚くすることがなく、薄いデザインにも対応できるとともに、強度的にも安定したものとなる。なお、固定嵌合パーツ１０は、その取付孔４０に補強片６０を取り付けて、この補強片６０が芯材としての役割を果たし、固定嵌合パーツ１０が皮革製腕時計バンド１内で安定して保持される。
【産業上の利用可能性】
【０００９】
本願考案に係る固定嵌合パーツは、時計バンドの時計側先端部に埋め込まれて時計側との接続のために用いられる接続パーツとして幅広く利用できるものである。
【図面の簡単な説明】
【００１０】
【図１】本願考案に係る固定嵌合パーツを示す説明用斜視図。
【図２】本願考案に係る固定嵌合パーツの使用状態を示す断面図。
【図３】従来の固定嵌合パーツを示す説明用斜視図。
【図４】従来の固定嵌合パーツの使用状態を示す断面図。
【符号の説明】
【００１１】
１  皮革製腕時計バンド    ２  時計側先端部
１０  固定嵌合パーツ
２０  パーツ本体    ２１  時計側側縁    ２２  切欠部
３０  筒部
４０  取付孔
５０  従来の固定嵌合パーツ    ５１  取付孔
６０  補強片
【図１】
0003148399.tif 000003
【図２】
0003148399.tif 000004
【図３】
0003148399.tif 000005
【図４】
0003148399.tif 000006